(57)【要約】【課題】  一つのプロセッサ（ＣＰＵ）上で互いに異なる２以上の機能が動作し、これら各機能の映像を分割多画面で同時に表示する。【解決手段】  ＣＰＵ１２は、現在位置検出部１および地図情報部２とをもとに現在位置から目的地までの経路を探索し、モニタ８に経路案内を表示する経路案内制御の処理を行うとともに、通信部３により通信する機能または情報を取得する機能、または位置検索機能や地点登録機能等の前記経路案内制御に関連する機能のうちからリモコン１０により指定した一つまたは互いに異なる２以上の名称の機能に基づく映像を一画面または分割多画面でモニタ８に表示する処理をこのＣＰＵ１２一つで行う。【選択図】        図１
2005300419.tif 000002
【特許請求の範囲】
【請求項１】
車両の現在位置を検出する現在位置検出部と、
地図データを格納している地図情報部と、
一画面または分割多画面の指定と各画面に表示する映像の機能名称の指定および経路案内等に関する所要の指定を入力する操作手段と、
前記操作手段で指定した機能名称の映像を一画面または分割多画面で表示するとともに、経路案内を表示する表示手段と、
インターネットまたは他の情報源と通信する通信手段と、
前記現在位置検出部および地図情報部をもとに現在位置から目的地までの経路を探索し、前記表示手段に経路案内を表示する経路案内制御の処理を行うとともに、前記通信手段により通信する機能または情報を取得する機能、または位置検索機能や地点登録機能等の前記経路案内制御に関連する機能のうちから前記操作手段により指定した一つまたは互いに異なる２以上の名称の機能に基づく映像を一画面または分割多画面で前記表示手段に表示する処理を一つのプロセッサ上で行うナビゲーション制御手段とを備えた車載用ナビゲーションシステム。
【請求項２】
ナビゲーション制御手段は、分割多画面の少なくとも一つの画面を、地点の位置を表示する映像の画面にすることを特徴とする請求項１記載の車載用ナビゲーションシステム。
【請求項３】
ナビゲーション制御手段は、分割多画面の少なくとも一つの画面を、インターネット上のオブジェクトを表示する映像の画面にすることを特徴とする請求項１記載の車載用ナビゲーションシステム。
【請求項４】
ナビゲーション制御手段は、分割多画面の少なくとも一つの画面を、ミュージック情報を表示する映像の画面にすることを特徴とする請求項１記載の車載用ナビゲーションシステム。
【請求項５】
ナビゲーション制御手段は、通信手段を用いてインターネットのウエブページを閲覧するブラウザ機能に基づくブラウザ画面の映像、通信手段または地図情報部を用い、住所等の文字列を検索キーとして位置データを検索する検索機能に基づく検索画面の映像、通信手段を用いて電子メールを送受信するメール機能に基づくメール画面の映像、通信手段を用いてミュージック情報を取得するミュージック情報機能に基づくミュージック情報画面の映像、前記検索機能で検索した位置データを地点登録しておく地点登録機能に基づく地点登録画面の映像、および通信手段を用いて渋滞等の道路関連情報を取得するＶＩＣＳ情報機能に基づくＶＩＣＳ情報画面の映像のうちから指定した互いに異なる２乃至４の名称の機能に基づく映像を分割多画面で表示することを特徴とする請求項１記載の車載用ナビゲーションシステム。
【請求項６】
ナビゲーション制御手段は、分割多画面で表示している一方の画面内に存在する文字列を範囲選択する範囲選択手段と、この文字列を一時的に記憶する記憶手段と、この記憶手段に記憶されている文字列を他方の画面内の文字列入力位置に貼り付ける貼り付け手段とを備えたことを特徴とする請求項１記載の車載用ナビゲーションシステム。
【請求項７】
ナビゲーション制御手段は、分割多画面で表示している一方の画面内に存在する画像情報を範囲選択する範囲選択手段と、この画像情報を一時的に記憶する記憶手段と、この記憶手段に記憶されている画像情報を他方の画面内の画像情報貼り付け位置に貼り付ける貼り付け手段とを備えたことを特徴とする請求項１記載の車載用ナビゲーションシステム。
【請求項８】
ナビゲーション制御手段は、分割多画面で表示している一方の画面内に存在する電子ファイルを範囲選択する範囲選択手段と、この電子ファイルを一時的に記憶する記憶手段と、この記憶手段に記憶されている電子ファイルを他方の画面内の電子ファイル貼り付け位置に貼り付ける貼り付け手段とを備えたことを特徴とする請求項１記載の車載用ナビゲーションシステム。
【発明の詳細な説明】
【技術分野】
【０００１】
この発明は一つのプロセッサ上で２以上の異なる機能が動作し、これら機能の各映像を分割多画面で同時に表示する車載用ナビゲーションシステムに関するものである。
【背景技術】
【０００２】
インターネットウエブ上では各土地の観光施設や、レストラン、またはホテル等に関する情報が多数提供されており、中には、通常のナビゲーションシステムが保有している地図情報より詳細な地図情報を提供している場合がある。
このような情報の活用を図るため、このインターネットウエブより得られる住所等の地図情報をもとに目的地を設定し、この設定した目的地までの経路を探索し、経路案内するようにした従来の車載用ナビゲーションシステムとして例えば以下のものがある。
【０００３】
従来例その１として、インターネット端末はインターネット通信により、リアサーバを介してホームページ情報としての地図情報を取得し、この地図情報に基づいてランドマークを有する地図を表示し、所定のランドマーク地点が目的地として特定されたとき、このランドマークの経緯度をリアサーバからフロントサーバを経てナビゲーショシステムへ入力し、ナビゲーショシステムは入力された経緯度を用いてランドマーク地点までの経路を探索して表示する（例えば、特許文献１参照）。
【０００４】
従来例その２として、ブラウザ部によりインターネットのウエブページを閲覧し、抽出部により、このインターネットのウエブページで送られてくる情報の中から、住所や電話番号等、場所を特定するための文字情報を抽出する。抽出された文字情報を、住所や電話番号から位置情報を検索するサーバに渡す。サーバは、この住所や電話番号から位置情報を検索し、この位置情報を端末に返す。検索された位置情報が返されたら、この位置情報をブラウザ部からナビゲーション制御部に渡し、目的地として設定する。これにより、ウエブページで紹介されている観光地や、レストラン情報、ホテル情報等がある場所を地図上に表示させたり、そこまでの経路を案内させたりすることができる（例えば、特許文献２参照）。
【０００５】
【特許文献１】特開平１１−３２５９１９号公報
【特許文献２】特開２０００−３３７９１１号公報
【発明の開示】
【発明が解決しようとする課題】
【０００６】
従来の車載用ナビゲーションシステムは以上のように構成されているが、これら従来例双方を映像表示の形態という観点から見たとき、インターネット接続時の映像とナビゲーション関連の映像とは別個独立の表示形態であり、分割した２画面で同時に表示する形態ではなかった。このため、例えばインターネット接続により得た住所等の文字情報を手がかりにして、目的地までの経路探索に至る操作手順が煩雑であるという問題があった。
【０００７】
また、上記分割２画面による同時表示に関しては、ナビゲーション機能とオーディオ機能、または、ナビゲーション機能とテレビ機能等のように、異なる機能を２画面で表示する機能は既に実施されているが、これら機能はそれぞれ別個独立のプロセッサ上で信号処理したものを２画面表示しているものであり、共用した一つのプロセッサ上で信号処理したものではなかった。従って、この場合も前記同様に信号処理の構成が複雑であるという問題があった。
【０００８】
この発明は上記のような課題を解決するためになされたもので、一つのプロセッサ上で例えば、ブラウザ機能、検索機能、メール機能、ミュージック情報機能、地点登録機能、およびＶＩＣＳ（道路交通情報通信システム）情報機能等の異なる２以上の機能が動作し、これら各機能の映像を分割多画面で同時に表示することにより、システム全体としての信号処理の構成を簡易にするとともに、異なる機能間でのデータや情報等の授受の操作を簡易にした車載用ナビゲーションシステムを得ることを目的とする。
【課題を解決するための手段】
【０００９】
この発明に係る車載用ナビゲーションシステムは、車両の現在位置を検出する現在位置検出部と、地図データを格納している地図情報部と、分割多画面および機能名称等を指定する操作手段と、分割多画面等を表示する表示手段と、インターネット等と通信する通信手段と、前記現在位置検出部および地図情報部とをもとに経路案内制御の処理を行うとともに、前記通信手段により通信する機能等の複数の機能のうちから前記操作手段により指定した互いに異なる２以上の名称の機能に基づく映像を分割多画面で前記表示手段に表示する処理を一つのプロセッサ上で行うナビゲーション制御手段とを備えたものである。
【発明の効果】
【００１０】
この発明によれば、互いに異なる２以上の名称の機能に基づく映像について分割多画面で表示する処理を一つのプロセッサ上で行うように構成したので、従来、一つのプロセッサ上で２以上の異なる機能に基づく映像を分割多画面で表示されていなかったブラウザ機能、検索機能、メール機能、ミュージック情報機能、地点登録機能およびＶＩＣＳ情報機能のうちの異なる２以上の機能に基づく映像を分割多画面で表示することが可能となり、車載用ナビゲーションシステム全体としての信号処理の構成を簡易に同時に複数の機能から情報を確認することができ、ある機能の情報を他の機能の情報に有効活用することができる。
【発明を実施するための最良の形態】
【００１１】
以下、この発明の実施の一形態を説明する。
実施の形態１．
図１はこの発明の実施の形態１による車載用ナビゲーションシステムの構成を示すブロック図である。
図１において、この車載用ナビゲーションシステムは、現在位置検出部１、地図情報部２、通信部３、通信インタフェース４、メモリ部５、ストレージ６、グラフィックスＩＣ（集積回路）７、モニタ８、オーディオ部９、リモートコントロールユニット（以下、「リモコン」とする）１０、受光部１１およびＣＰＵ（中央処理装置；プロセッサ）１２とで構成される。
【００１２】
上記構成において、現在位置検出部１は車両の現在位置を検出する。この現在位置検出部１はＧＰＳ（全地球測位システム）受信機１ａ、受信アンテナ１ｂ、ジャイロ１ｃおよび車速パルス発生器１ｄとを備えている。
ＧＰＳ受信機１ａは衛星から発信された電波を受信アンテナ１ｂにより受信して、現在位置の経緯度を測定する。
ジャイロ１ｃは車輌の向いている方位を検出するものであり、方位センサとなるものである。
車速パルス発生器１ｄは車輌のタイヤの回転に応じて単位走行距離ごとにパルス信号を発生するものであり、車輌の移動距離を検出する距離センサとなるものである。
地図情報部２は地図データをディジタル化して記憶媒体に格納しているものである。
【００１３】
通信部３は送受信アンテナ３ａを備えた通信機器または携帯電話等からなり、インターネット通信や他の情報源としてのＶＩＣＳとの通信等を行い、インターネット情報やＶＩＣＳ情報を取得または電子メール等を送受信する。
【００１４】
通信インタフェース４は通信部３とＣＰＵ１２との間のデータ授受を円滑に処理するためのものである。
前記通信部３とこの通信インタフェース４とで通信手段を形成する。
【００１５】
メモリ部５は一画面または分割多画面表示に関する各種テーブルやデータ保存領域を備えており、具体的には図１に示すように、文字列データ、画像ファイルおよび電子ファイル等を一時的に記憶するコピー保存領域５ａ、一画面または分割多画面における各画面ごとの表示領域座標のデータからなる表示領域座標テーブル５ｂ、一画面または分割多画面における各画面ごとの表示映像に対する機能名称の状態を保存する機能状態保存テーブル５ｃ、モニタ８の表示形態を定めるデータからなる描画配置テーブル５ｄである。
【００１６】
ストレージ６は各種データを保存するハードディスクを意味し、例えば後述のミュージック情報または地点等のデータを記憶する。
【００１７】
グラフィックスＩＣ７は前記メモリ部５の描画配置テーブル５ｄの内容をモニタ８に表示するように信号出力する。
モニタ８は例えば液晶ディスプレイ（ＬＣＤ）で構成され、インタネット通信におけるブラウザ機能や検索機能等の指定された機能名称の映像を一画面または分割多画面で表示するとともに、ナビゲーション機能としての経路案内を表示する。
上記グラフィックスＩＣ７とモニタ８とで表示手段を形成する。
【００１８】
オーディオ部９はナビゲーション機能等において経路案内情報（メッセージ）を音声により報知する。
【００１９】
リモコン１０はキー入力操作により、一画面または分割多画面の指定と各画面に表示する映像の機能名称の指定および経路案内等に関する所要の指定を入力し、この入力内容を例えば赤外線信号により送信する。
【００２０】
受光部１１はリモコン１０からの赤外線信号を受光（受信）し、この受光した信号をＣＰＵ１２へ送出する。
前記リモコン１０とこの受光部１１とで操作手段を形成する。
【００２１】
ＣＰＵ１２は現在位置検出部１および地図情報部２とをもとに現在位置から目的地までの経路を探索し、モニタ８に経路案内を表示する経路案内制御の処理を行うとともに、通信部３により通信する機能または情報を取得する機能、または位置検索機能や地点登録機能等の前記経路案内制御に関連する機能のうちからリモコン１０により指定した一つまたは互いに異なる２以上の名称の機能に基づく映像を一画面または分割多画面でモニタ８に表示する処理をこのＣＰＵ１２一つで行う。
上記機能としては、例えば、ブラウザ機能、検索機能、メール機能、ミュージック情報機能、地点登録機能およびＶＩＣＳ情報機能を対象とする。
【００２２】
ここで、ブラウザ機能は通信部３を介してインターネット通信し、ブラウザ画面を表示してインターネット上のウエブページの各種情報を閲覧する機能である。
【００２３】
検索機能は、例えば上記ブラウザ画面中に含まれている場所（目的地となる）の電話番号、郵便番号、住所等の文字列を選択し、この選択した文字列を検索キーとして位置データを検索する機能である。この場合、位置データの検索はインターネット上のサーバを利用してもよく、または前記経路案内制御に関連する機能の一つとして、内蔵の地図情報部２を利用する方法でもよい。
上記検索した位置データは目的地として設定され、ＣＰＵ１２により経路が自動探索される。
【００２４】
メール機能は通信部３を介して電子メールを送受信する機能である。
ミュージック情報機能は例えば通信部２を介してインターネット通信し、ミュージックの曲名や歌手等といったミュージック情報を取得する機能である。
地点登録機能は例えば、前記検索機能で検索した位置データ（地点）が複数ある場合、この位置データ（地点）をストレージ６（またはメモリ部５）に地点登録（記憶）しておく機能である。この機能は前記経路案内制御に関連する機能の一つである。
ＶＩＣＳ情報機能は通信部２を介して道路交通情報通信システムと通信し、渋滞、事故、交通規制、駐車場などの道路関連情報をリアルタイムで取得する機能である。
【００２５】
以上説明のこのＣＰＵ１２とメモリ部５とでナビゲーション制御手段を形成する。
このナビゲーション制御手段の本来的な機能としての経路案内（ナビゲーション）制御は、リモコン１０により指定された目的地に対し、ＣＰＵ１２が現在位置検出部１および地図情報部２とをもとに現在位置から目的地までの経路を探索し、モニタ８に経路案内を表示する。
【００２６】
次に、一つのＣＰＵ１２が処理する２以上の機能に基づくそれぞれの映像の分割多画面表示について図２乃至図４で説明する。
図２は二つの機能を２分割画面で表示した場合の説明図、図３は三つの機能を３分割画面で表示した場合の説明図、図４は四つの機能を４分割画面で表示した場合の説明図であり、各図とも各機能を全て組み合わせた表示形態を示している。なお、図４は各機能画面を丸数字で示し、この丸数字の機能画面は図４の上部に記してある。
【００２７】
図２乃至図４において、「ブラウザ画面」はブラウザ機能に基づく映像、「検索画面」は検索機能に基づく映像、「メール画面」はメール機能に基づく映像、「ミュージック情報画面」はミュージック情報機能に基づく映像、「地点登録画面」は地点登録機能に基づく映像、「ＶＩＣＳ情報画面」はＶＩＣＳ情報機能に基づく映像を表す。
また、上記表示形態において、各機能画面の分割画面上での表示位置は図２乃至図４で示すように任意である。例えば図２おいて、ブラウザ画面と検索画面画面とを２分割画面で表示する場合、各画面を左右のどちらに表示するかについては任意である。
以上に説明した図２乃至図４の他に一画面表示を含め、これらのうちでどの表示形態にするかについてはリモコン１０により指定する。
【００２８】
また、図２乃至図４は前記のように、各機能を全て組み合わせた表示形態を示したものであるが、これに対し、分割多画面中の少なくとも一画面は常に特定の機能に基づく映像としてもよい。例えば、地点の位置を表示する映像の画面、または、インターネット上のオブジェクトを表示する映像の画面、または、ミュージック情報を表示する映像の画面にしてもよい。上記、地点の位置を表示する映像の画面として例えば検索画面とし、インターネット上のオブジェクトを表示する映像の画面としてはブラウザ画面であり、ミュージック情報を表示する映像の画面としてはミュージック情報画面である。これにより、使用頻度または必要性の高い機能の映像を常に表示しておくことができる。
【００２９】
次に、リモコン１０により指定される一画面または図２〜図４に示した分割多画面の表示に必要な事項について以下に説明する。
先ず、選択画面遷移と表示領域座標の例について図５で説明する。
図５はリモコン１０からのキー入力によって、画面が一画面から四画面まで分割されるとした場合のこの分割の遷移と選択画面を変更指定した場合の表示領域座標の遷移を表した図であり、（ａ）は一画面の状態図、（ｂ）（ｃ）は二画面の状態図、（ｄ）（ｅ）（ｆ）は三画面の状態図、（ｇ）（ｈ）（ｉ）（ｊ）は四画面の状態図である。
また、太線枠は現在選択している画面を表す。
図５において、一画面から四画面まで分割される各画面に対してはその表示領域の始点および終点をＸ座標とＹ座標で規定し、この始点をＸ１，Ｙ１、終点をＸ２，Ｙ２とし、各画面全体の表示領域座標を（Ｘ１，Ｙ１，Ｘ２，Ｙ２）で表す。
【００３０】
図５（ａ）において、画面分割されない一画面Ｇ１の表示領域座標を例えばＸ１＝０，Ｙ１＝０，Ｘ２＝４８９，Ｙ２＝２３９、即ち、表示領域座標（０，０，４８９，２３９）、とする。
上記一画面の状態をリモコン１０により画面分割を指定し、二画面とした場合、二画面の図５（ｂ）に示すように、一画面時の表示画面Ｇ２の右側（画面に向かって〜以下同）が画面Ｇ３の表示領域となり、この画面Ｇ３が現在選択している画面領域となる。この画面Ｇ３の表示領域座標は、一画面の表示領域座標をＸ方向に２分するので、表示領域座標（２４５，０，４８９，２３９）となる。
この二画面の図５（ｂ）の状態で、リモコン１０により画面Ｇ２を指定すると図５（ｃ）に示すようになり、この画面Ｇ２が現在選択している画面領域となる。この画面Ｇ２の表示領域座標は、上記のようにＸ方向を２分することから、表示領域座標（０，０，２４４，２３９）となる。
また、図Ｆ５ｃの状態でリモコン１０により画面Ｇ３を指定すると図Ｆ５ｂの状態に戻る。
【００３１】
次いで、上記二画面の図５（ｂ）の状態で、リモコン１０により画面分割を指定し、三画面とした場合、三画面の図５（ｄ）に示すように、二画面時の表示画面Ｇ５の右側が画面Ｇ６の表示領域となり、この画面Ｇ６が現在選択している画面領域となる。この画面Ｇ６の表示領域座標は、一画面の表示領域座標をＸ方向に３分し、且つ３分の２であるので、表示領域座標（３２６，０，４８９，２３９）となる。
この三画面の図５（ｄ）の状態で、リモコン１０により画面Ｇ５を指定すると図５（ｅ）に示すようになり、この画面Ｇ５が現在選択している画面領域となる。この画面Ｇ５の表示領域座標は、上記のようにＸ方向を３分し、且つ３分の１〜３分の２であることから、表示領域座標（１６３，０，３２５，２３９）となる。
【００３２】
また、前記二画面の図５（ｃ）の状態で、リモコン１０により画面分割を指定し、三画面とした場合は、前記三画面の図５（ｅ）と同様となり、二画面時の表示画面Ｇ４の右側が画面Ｇ５となり、この画面Ｇ５が現在選択している画面領域となる。
上記三画面の図５（ｅ）の状態で、リモコン１０により画面Ｇ４を指定すると図５（ｆ）に示すようになり、この画面Ｇ４が現在選択している画面領域となる。この画面Ｇ４の表示領域座標は、上記のようにＸ方向を３分し、且つ３分の１であることから、表示領域座標（０，０，１６２，２３９）となる。
また、リモコン１０により、図５（ｅ）の状態で画面Ｇ６を指定すると図５（ｄ）の状態に戻り、図５（ｆ）の状態で画面Ｇ５を指定すると図５（ｅ）の状態に戻る。
【００３３】
次いで、上記三画面の図５（ｄ）の状態で、リモコン１０により画面分割を指定し、四画面とした場合、四画面の図５（ｇ）に示すように、Ｘ方向およびＹ方向をそれぞれ２分した四画面となり、この四画面の右下側が画面Ｇ１０の表示領域となり、この画面Ｇ１０が現在選択している画面領域となる。この画面Ｇ１０の表示領域座標は、一画面の表示領域座標をＸ方向およびＹ方向をそれぞれ２分するので、表示領域座標（２４５，１２０，４８９，２３９）となる。
また、上記三画面の図５（ｅ）の状態で、リモコン１０により画面分割を指定し、四画面とした場合、四画面の図５（ｈ）に示すようになり、この四画面の左下側が画面Ｇ９の表示領域となり、この画面Ｇ９が現在選択している画面領域となる。この画面Ｇ９の表示領域座標は、上記のようにＸ方向およびＹ方向をそれぞれ２分することから、表示領域座標（０，１２０，２４４，２３９）となる。
【００３４】
また、上記四画面の図５（ｇ）の状態で、リモコン１０により画面Ｇ７を指定すると四画面の図５（ｉ）に示すようになり、この四画面の左上側が画面Ｇ７の表示領域となり、この画面Ｇ７が現在選択している画面領域となる。この画面Ｇ７の表示領域座標は、上記のようにＸ方向およびＹ方向をそれぞれ２分することから、表示領域座標（０，０，２４４，１１９）となる。
また、上記三画面の図５（ｆ）の状態で、リモコン１０により画面分割を指定し、四画面とした場合、四画面の図５（ｊ）に示すようになり、この四画面の右上側が画面Ｇ８の表示領域となり、この画面Ｇ８が現在選択している画面領域となる。この画面Ｇ８の表示領域座標は、上記のようにＸ方向およびＹ方向をそれぞれ２分することから、表示領域座標（２４５，０，４８９，１１９）となる。
【００３５】
また、前記四画面の図５（ｇ）の状態で、リモコン１０により画面Ｇ９を指定すると図５（ｈ）の状態となり、この画面Ｇ９が現在選択している画面領域となり、さらに、この図５（ｈ）の状態で、リモコン１０により画面Ｇ１０を指定すると図５（ｇ）の状態にもどり、この画面Ｇ１０が現在選択している画面領域となる。
また、図５（ｈ）の状態と図５（ｉ）の状態との相互間、図５（ｈ）の状態と図５（ｊ）の状態との相互間、図５（ｉ）の状態と図５（ｊ）の状態との相互間および図５（ｇ）の状態と図５（ｊ）の状態との相互間においてそれぞれリモコン１０により現在選択している画面領域を変更することができる。
また、リモコン１０により、図５（ｉ）の状態で画面Ｇ１０を指定すると図５（ｇ）の状態に戻る。
なお、以上説明の選択画面遷移の形態は一例であり、他の形態としてもよい。
【００３６】
以上説明の一画面から四画面における各画面ごとの表示領域座標はメモリ部５の所定の領域に表示領域座標テーブル５ｂとして予め格納されている。ＣＰＵ１２はリモコン１０による指定入力に従い、このメモリ部５に格納されている表示領域座標テーブル５ｂに基づいて、一つまたは互いに異なる２以上の名称の機能に基づく映像を一画面または分割多画面で表示する。
【００３７】
次に、上述のように、メモリ部５に格納されている表示領域座標テーブル５ｂについて図６で説明する。
図６は一画面から四画面に画面分割した場合の表示領域座標テーブルＤＩＳＰ（ａ，ｂ）のテーブル状態を表した図である。
上記カッコ内のａ，ｂはテーブル内のデータ格納位置を定めるものであり、画面分割状態が一画面から四画面とした場合、ａおよびｂは４区分となる。
図６中の一画面から四画面それぞれに対して記載してあるデータ数値は図５で説明した表示領域座標である。
【００３８】
次に、画面分割指定後の機能追加表示例について図７で説明する。
図７は現在選択している画面別に、分割指定後に機能追加した場合の機能の追加方法について説明した図であり、（ａ）は一画面の状態図、（ｂ）（ｃ）は二画面の状態図、（ｄ）（ｅ）（ｆ）は三画面の状態図、（ｇ）（ｈ）（ｉ）（ｊ）は四画面の状態図である。
図７において、機能は機能１、機能２、機能３、…機能Ｍａｘの順で追加されるものとする。また、図中の太線枠は現在選択している機能の画面を表す。
なお、上記機能１、機能２、機能３、…が前記ブラウザ機能、検索機能、メール機能、ミュージック情報機能、地点登録機能およびＶＩＣＳ情報機能等の機能名称を意味する。
【００３９】
図７（ａ）は画面分割のない一画面状態の画面Ｇ１に機能１の映像が表示されている状態を示すが、この図７（ａ）の状態に対し、リモコン１０により画面分割を指定後、機能２を追加した場合、図７（ｂ）に示すように、画面Ｇ２と画面Ｇ３の二画面となり、画面Ｇ２に機能１の映像が表示され、この画面Ｇ２の右側の画面Ｇ３に追加された機能２の映像が表示され、この機能２の映像表示画面が現在選択している画面となる。
この図７（ｂ）の状態でリモコン１０により機能１を指定すると、図７（ｃ）に示す状態となり、この機能１の映像表示画面が現在選択している画面となる。
【００４０】
次いで、上記二画面表示のうちの図７（ｂ）の状態で、リモコン１０により画面分割を指定後、機能３を追加した場合、図７（ｄ）に示すように、画面Ｇ４、画面Ｇ５および画面Ｇ６の三画面となり、画面Ｇ４に機能１の映像が表示され、画面Ｇ５に機能２の映像が表示され、この画面Ｇ５の右側の画面Ｇ６に追加された機能３の映像が表示され、この機能３の映像表示画面が現在選択している画面となる。
また、上記二画面表示のうちの図７（ｃ）の状態で、リモコン１０により画面分割を指定後、機能３を追加した場合、図７（ｅ）に示すように、前記同様に画面Ｇ４、画面Ｇ５および画面Ｇ５の三画面となり、画面Ｇ４に機能１の映像が表示され、この画面Ｇ４の右側の画面Ｇ５に追加された機能３の映像が表示され、この画面Ｇ５の右側の画面Ｇ６に機能２の映像が表示される。この場合も機能３の映像表示画面が現在選択している画面となる。
また、上記図７（ｄ）の状態で機能１を指定した場合、図７（ｆ）の状態となり、この機能１の映像表示画面が現在選択している画面となる。
【００４１】
上記三画面表示のうちの図７（ｄ）の状態で、リモコン１０により画面分割を指定後、機能４を追加した場合、図７（ｇ）に示すように、画面Ｇ７乃至画面Ｇ１０の四画面となり、画面Ｇ７に機能１の映像、画面Ｇ８に機能２の映像、画面Ｇ９に機能３の映像、画面Ｇ１０に追加した機能４の映像がそれぞれ表示され、この機能４の映像表示画面が現在選択している画面となる。
また、上記三画面表示のうちの図７（ｅ）の状態で、リモコン１０により画面分割を指定後、機能４を追加した場合、図７（ｈ）に示すように、前記同様に画面Ｇ７乃至画面Ｇ１０の四画面となり、画面Ｇ７に機能１の映像、画面Ｇ８に機能３の映像、画面Ｇ９に追加した機能４の映像、画面Ｇ１０に機能２の映像がそれぞれ表示される。この場合も機能４の映像表示画面が現在選択している画面となる。
【００４２】
さらに、上記三画面表示のうちの図７（ｆ）の状態で、リモコン１０により画面分割を指定後、機能４を追加した場合、図７（ｉ）に示すように、前記同様に画面Ｇ７乃至画面Ｇ１０の四画面となり、画面Ｇ７に機能１の映像、画面Ｇ８に追加した機能４の映像、画面Ｇ９に機能２の映像、画面Ｇ１０に機能３の映像がそれぞれ表示される。この場合も機能４の映像表示画面が現在選択している画面となる。
また、上記図７（ｇ）の状態で機能１を指定した場合、図７（ｊ）の状態となり、この機能１の映像表示画面が現在選択している画面となる。
なお、以上説明の表示形態は一例であり、他の形態としてもよい。
【００４３】
ＣＰＵ１２はリモコン１０による指定入力に応じて、以上説明の一画面から四画面における各画面ごとの表示映像に対する機能名称の状態をメモリ部５の所定の領域に設けた機能状態保存テーブル５ｃに保存し、以後、ＣＰＵ１２はこの各画面ごとの機能名称の状態がリモコン１０の指定により変わるごとに機能状態保存テーブル５ｃの内容を更新し、この更新後の機能状態保存テーブルに基づいて、一つまたは互いに異なる２以上の名称の機能に基づく映像を一画面または分割多画面で表示する。
ＣＰＵ１２は上記機能状態保存テーブル５ｃの内容を更新する機能状態保存テーブル更新手段としての処理機能を備えている。
【００４４】
また、図２乃至図４で説明したように、分割多画面中の少なくとも一画面を常に特定の機能に基づく映像とする場合は前記機能状態保存テーブル５ｃに該当の機能名称を保存しておく。この一画面については前述のように、例えば、地点の位置を表示する映像の画面（例えば検索画面）、または、インターネット上のオブジェクトを表示する映像の画面（ブラウザ画面）、または、ミュージック情報を表示する映像の画面（ミュージック情報画面）である。
【００４５】
次に、上述のように、メモリ部５の所定の領域に設けた機能状態保存テーブル５ｃについて図８で説明する。
図８は一画面から四画面に機能が追加された場合に、それぞれの画面の機能が何であるかを保存するための機能状態保存テーブルＦＵＮＣ（ｃ）の内容を示した図であり、（ａ）は一画面の場合、（ｂ）は二画面の場合、（ｃ）は三画面の場合、（ｄ）は四画面の場合のそれぞれのテーブル状態図である。
この図８（ａ）〜（ｄ）中のＦＵＮＣ（１）〜ＦＵＮＣ（４）はテーブル内のデータ格納位置を定めるものであり、画面分割状態が一画面から四画面とした場合、ＦＵＮＣ（ｃ）はＦＵＮＣ（１）〜ＦＵＮＣ（４）の４区分となる。
【００４６】
画面数が一画面であれば表示機能数は一つであり、図８（ａ）に示すように、その機能１がＦＵＮＣ（１）に格納され、ＦＵＮＣ（２）〜ＦＵＮＣ（４）はＮＵＬＬ（空白）となり、以下同様に、画面数が二画面であれば表示機能数は二つであり、図８（ｂ）に示すように、その機能１，機能２がＦＵＮＣ（１），ＦＵＮＣ（２）に格納され、ＦＵＮＣ（３），ＦＵＮＣ（４）はＮＵＬＬとなり、画面数が三画面であれば表示機能数は三つであり、図８（ｃ）に示すように、その機能１，機能２，機能３がＦＵＮＣ（１），ＦＵＮＣ（２），ＦＵＮＣ（３）に格納され、ＦＵＮＣ（４）はＮＵＬＬとなり、画面数が四画面であれば表示機能数は四つであり、図８（ｄ）に示すように、その機能１，機能２，機能３，機能４がＦＵＮＣ（１），ＦＵＮＣ（２），ＦＵＮＣ（３），ＦＵＮＣ（４）に格納される。
【００４７】
次に、選択画面枠の表示例について図９で説明する。
図９はリモコン１０により選択指定した一画面から四画面までの画面選択枠と、選択画面枠の位置を表すＷＡＫＵ（ｄ，ｗ）について説明した図であり、（ａ）は一画面の状態図、（ｂ）（ｃ）は二画面の状態図、（ｄ）（ｅ）（ｆ）は三画面の状態図、（ｇ）（ｈ）（ｉ）（ｊ）は四画面の状態図である。
上記カッコ内のｄは画面数を表し、ｗは選択画面番号（位置）を表す。
また、図中の太線枠は現在選択している画面の枠を表す。
図９（ａ）は画面分割のない一画面Ｇ１の状態であり、画面枠の選択という概念は無く、画面数ｄ＝１、選択画面番号ｗ＝１である。
従って、ＷＡＫＵ（ｄ，ｗ）＝ＷＡＫＵ（１，１）となる。
【００４８】
二画面に分割した図９（ｂ）の状態の枠は、画面Ｇ２の枠が現在選択している画面の枠（選択画面枠）であり、画面数ｄ＝２、選択画面番号ｗ＝１である。
従って、図９（ｂ）の状態の場合、
現在選択している画面のＷＡＫＵ（ｄ，ｗ）＝ＷＡＫＵ（２，１）となる。
また、二画面に分割した図９（ｃ）の状態の枠は、画面Ｇ３の枠が現在選択している画面の枠（選択画面枠）であり、画面数ｄ＝２、選択画面番号ｗ＝２である。
従って、図９（ｃ）の状態の場合
現在選択している画面のＷＡＫＵ（ｄ，ｗ）＝ＷＡＫＵ（２，２）となる。
【００４９】
三画面に分割した図９（ｄ）の状態の枠は、画面Ｇ４の枠が現在選択している画面の枠（選択画面枠）であり、画面数ｄ＝３、選択画面番号ｗ＝１である。
従って、図９（ｄ）の状態の場合、
現在選択している画面のＷＡＫＵ（ｄ，ｗ）＝ＷＡＫＵ（３，１）となる。
また、三画面に分割した図９（ｅ）の状態の枠は、画面Ｇ５の枠が現在選択している画面の枠（選択画面枠）であり、画面数ｄ＝３、選択画面番号ｗ＝２である。
従って、図９（ｅ）の状態の場合
現在選択している画面のＷＡＫＵ（ｄ，ｗ）＝ＷＡＫＵ（３，２）となる。
また、三画面に分割した図９（ｆ）の状態の枠は、画面Ｇ６の枠が現在選択している画面の枠（選択画面枠）であり、画面数ｄ＝３、選択画面番号ｗ＝３である。
従って、図９（ｆ）の状態の場合
現在選択している画面のＷＡＫＵ（ｄ，ｗ）＝ＷＡＫＵ（３，３）となる。
【００５０】
四画面に分割した図９（ｇ）の状態の枠は、画面Ｇ７の枠が現在選択している画面の枠（選択画面枠）であり、画面数ｄ＝４、選択画面番号ｗ＝１である。
従って、図９（ｇ）の状態の場合、
現在選択している画面のＷＡＫＵ（ｄ，ｗ）＝ＷＡＫＵ（４，１）となる。
また、四画面に分割した図９（ｈ）の状態の枠は、画面Ｇ８の枠が現在選択している画面の枠（選択画面枠）であり、画面数ｄ＝４、選択画面番号ｗ＝２である。
従って、図９（ｈ）の状態の場合
現在選択している画面のＷＡＫＵ（ｄ，ｗ）＝ＷＡＫＵ（４，２）となる。
また、四画面に分割した図９（ｉ）の状態の枠は、画面Ｇ９の枠が現在選択している画面の枠（選択画面枠）であり、画面数ｄ＝４、選択画面番号ｗ＝３である。
従って、図９（ｉ）の状態の場合
現在選択している画面のＷＡＫＵ（ｄ，ｗ）＝ＷＡＫＵ（４，３）となる。
また、四画面に分割した図９（ｊ）の状態の枠は、画面Ｇ９の枠が現在選択している画面の枠（選択画面枠）であり、画面数ｄ＝４、選択画面番号ｗ＝４である。
従って、図９（ｊ）の状態の場合
現在選択している画面のＷＡＫＵ（ｄ，ｗ）＝ＷＡＫＵ（４，４）となる。
【００５１】
以上説明のＷＡＫＵ（ｄ，ｗ）のデータは前記機能状態保存テーブル５ｃに機能状態とともに保存される。
【００５２】
次に、範囲選択、コピーおよび貼り付けについて図１０で説明する。
図１０は範囲選択、コピーおよび貼り付けについての説明図であり、（ａ）は文字列の場合、（ｂ）は画像ファイルの場合、（ｃ）は電子ファイルの場合の説明図である。
ＣＰＵ１２は、モニタ８に分割多画面で表示している場合において、その一方の画面内に存在する文字列、画像情報または電子ファイルを範囲選択し、これら文字列、画像情報または電子ファイルを一時的にメモリ部５のコピー保存領域５ａに記憶し、このコピー保存領域５ａに記憶されている文字列、画像情報または電子ファイルを他方の画面内の文字列入力位置、画像情報貼り付け位置または電子ファイル貼り付け位置に貼り付けるように処理する。
ここで、ＣＰＵ１２は上記文字列、画像情報または電子ファイルを範囲選択する範囲選択手段と、メモリ部５のコピー保存領域５ａに記憶されている文字列、画像情報または電子ファイルを他方の画面内の文字列入力位置に貼り付ける貼り付け手段とを処理機能として備えている。
【００５３】
図１０（ａ）において、一方の画面の機能Ａは例えばインターネット通信するブラウザ機能であり、この機能Ａのブラウザ画面中で住所の文字列を範囲選択してコピーし、この文字列を他方の画面である例えば住所検索機能である機能Ｂの検索画面へ貼り付ける。
これにより、検索画面への文字列の入力の手間を省くことができる。また、双方の画面を確認しながら範囲選択し貼り付けるので、これら作業のミスを防止することができる。
【００５４】
また、図１０（ｂ）において、前記機能Ａのブラウザ画面中で画像ファイルを範囲選択してコピーし、この画像ファイルを他方の画面である例えばミュージック情報を表示する機能である機能Ｃのミュージック情報画面へ貼り付ける。これにより、ミュージック情報画面への画像ファイル挿入の手間を省くことができる。また、前記同様に、貼り付け等の作業のミスを防止することができる。
【００５５】
また、図１０（ｃ）において、前記機能Ａのブラウザ画面中で電子ファイルＡを範囲選択してコピーし、この電子ファイルＡを他方の画面である例えば電子メールを送受信する機能である機能Ｄのメール画面へ貼り付ける。これにより、メール画面への電子ファイル挿入の手間を省くことができる。また、前記同様に、貼り付け等の作業のミスを防止することができる。
【００５６】
次に、前記図２乃至図１０で説明した事項に関するＣＰＵ１２の処理動作について図１１〜図２０で説明する。
図１１はリモコン１０により画面操作キー入力イベントが発生した時のＣＰＵ１２の処理を示すフローチャートである。
【００５７】
図１１において、ステップＳＴ１では、ＣＰＵ１２はリモコン１０からのキー入力を受光部１１を介し受信すると、入力されたキーを引数キー（Ｋｅｙ）に代入し、ステップＳＴ２へ進む。
【００５８】
ステップＳＴ２では、ＣＰＵ１２はキー（Ｋｅｙ）の種類が何であるか判断し、その種類に応じてステップＳＴ３〜ステップＳＴ８へ進む。
【００５９】
ステップＳＴ３では、ＣＰＵ１２はステップＳＴ２の判断がクリアであるときにクリアイベントを発生し、ステップＳＴ９へ進む。。
【００６０】
ステップＳＴ４では、ＣＰＵ１２はステップＳＴ２の判断が画面分割であるときに画面分割イベントを発生し、ステップＳＴ９へ進む。。
【００６１】
ステップＳＴ５では、ＣＰＵ１２はステップＳＴ２の判断が範囲選択であるときに範囲選択イベントを発生し、ステップＳＴ９へ進む。。
【００６２】
ステップＳＴ６では、ＣＰＵ１２はステップＳＴ２の判断がコピーであるときにコピーイベントを発生し、ステップＳＴ９へ進む。。
【００６３】
ステップＳＴ７では、ＣＰＵ１２はステップＳＴ２の判断が貼り付けであるときに貼り付けイベントを発生し、ステップＳＴ９へ進む。
【００６４】
ステップＳＴ８では、ＣＰＵ１２はステップＳＴ２の判断がその他の操作であるときに、そのキー（Ｋｅｙ）の内容から機能状態保存テーブルＦＵＮＣ（ｗ）の内容を書き換え、ステップＳＴ９へ進む。
【００６５】
ステップＳＴ９では、ＣＰＵ１２は表示処理イベントを発生させ、処理を終了する。
【００６６】
次に、図１１のフローチャートのステップＳＴ３においてクリアイベントが発生したときの処理について図１２で説明する。
図１２は図１１のステップＳＴ３においてクリアイベントが発生したときの処理を示すフローチャートである。
【００６７】
図１２において、ステップＳＴ１０では、ＣＰＵ１２はクリアイベントが発生すると、全画面クリア（Ａｌｌ  Ｃｌｅａｒ）か選択画面クリア（Ｓｉｎｇｌｅ  Ｃｌｅａｒ）かを判断し、全画面クリアであればステップＳＴ１１へ進む。
【００６８】
ステップＳＴ１１では、ＣＰＵ１２は全画面クリアの場合、処理回数sに初期値１を代入し、ステップＳＴ１２へ進む。
【００６９】
ステップＳＴ１２では、ＣＰＵ１２は処理回数sがＭａｘを超えたか判断し（s＞Ｍａｘ）、超えていない場合（ステップＳＴ１２−Ｎｏ）は、ステップＳＴ１３へ進む。
【００７０】
ステップＳＴ１３では、ＣＰＵ１２は機能状態保存テーブルＦＵＮＣ（ｓ）にＮＵＬＬ（零）を代入し、ステップＳＴ１４へ進む。
【００７１】
ステップＳＴ１４では、ＣＰＵ１２は処理回数ｓに１を加算し（ｓ＝ｓ＋１）、再びステップＳＴ１２へ戻る。
【００７２】
上記に対し、ステップＳＴ１２において、処理回数sがＭａｘを超えた判断の場合（ステップＳＴ１２−Ｙｅｓ）、ステップＳＴ１５へ進む。
【００７３】
ステップＳＴ１５では、ＣＰＵ１２は画面数ｄと選択画面番号ｗに初期値１を代入して処理を終了する。
【００７４】
また、ステップＳＴ１０において、選択画面クリアの判断の場合、ステップＳＴ１６へ進む。
【００７５】
ステップＳＴ１６では、ＣＰＵ１２は選択画面クリアの場合、選択中の機能状態保存テーブルの内容をクリア（ＦＵＮＣ（ｗ）にＮＵＬＬを代入）し、処理を終了する。
【００７６】
次に、図１１のフローチャートのステップＳＴ４において画面分割イベントが発生したときの処理について図１３で説明する。
図１３は図１１のステップＳＴ４において画面分割イベントが発生したときの処理を示すフローチャートである。
【００７７】
図１３において、ステップＳＴ１７では、ＣＰＵ１２は画面分割イベントが発生すると、画面分割数（画面数）ｄに１を加えた値が分割上限数を超えるかどうか判断し（ｄ＋１＞Ｍａｘ）、超えた場合（ステップＳＴ１７−Ｙｅｓ）は、ステップＳＴ１８へ進み、超えていない場合（ステップＳＴ１７−Ｎｏ）は、ステップＳＴ１９へ進む。
【００７８】
ステップＳＴ１８では、ＣＰＵ１２は画面分割数ｄに１を加えた値が分割上限数を超えた場合は分割不可イベントを発生させる。
【００７９】
これに対し、ステップＳＴ１９では、ＣＰＵ１２は画面分割数ｄに１を加えた値が分割上限数を超えていない場合、画面分割数ｄが選択画面番号ｗと等しいかどうか判断し（ｄ＝ｗ）、等しくない場合（ステップＳＴ１９−Ｎｏ）は、ステップＳＴ２０へ進み、等しい場合（ステップＳＴ１９−Ｙｅｓ）は、ステップＳＴ２１へ進む。
【００８０】
ステップＳＴ２０では、ＣＰＵ１２はＦＵＮＣ移し変えイベントを発生し、ステップＳＴ２１へ進む。
【００８１】
ステップＳＴ２１では、ＣＰＵ１２は処理をせず、画面分割数ｄに１を加算し（ｄ＝ｄ＋１）、ステップＳＴ２２へ進む。
【００８２】
ステップＳＴ２２では、ＣＰＵ１２は選択画面を移動させるため、選択画面番号ｗに１を加算（ｗ＝ｗ＋１）し、処理を終了する。
【００８３】
次に、図１３のフローチャートのステップＳＴ２０においてＦＵＮＣ移し変えイベントが発生したときの処理について図１４で説明する。
図１４は図１３のステップＳＴ２０においてＦＵＮＣ移し変えイベントが発生したときの処理を示すフローチャートである。
【００８４】
図１４において、ステップＳＴ２３では、ＣＰＵ１２はＦＵＮＣ移し変えイベントが発生すると、処理回数ｓに初期値の０を代入し（ｓ＝０）、ステップＳＴ２４へ進む。
【００８５】
ステップＳＴ２４では、ＣＰＵ１２は処理回数ｓが画面分割数ｄ−選択画面番号ｗに等しいかどうか判断し（ｓ＝ｄ−ｗ）、等しい場合（ステップＳＴ２４−Ｙｅｓ）は、そのまま処理を終了し、等しくない場合（ステップＳＴ２４−Ｎｏ）は、ステップＳＴ２５へ進む。
【００８６】
ステップＳＴ２５では、ＣＰＵ１２はＦＵＮＣ（ｄ−ｓ）の内容をＦＵＮＣ（ｄ＋１−ｓ）に移し、ステップＳＴ２６へ進む。
【００８７】
ステップＳＴ２６では、ＣＰＵ１２は処理回数ｓに１を加算し（ｓ＝ｓ＋１）、再びステップ２４へ戻る。
【００８８】
次に、図１３のフローチャートのステップＳＴ１８において分割不可イベントが発生したときの処理について図１５で説明する。
図１５は図１３のステップＳＴ１８において分割不可イベントが発生したときの処理を示すフローチャートである。
【００８９】
図１５において、ステップＳＴ２７では、ＣＰＵ１２は分割不可イベントが発生すると、メモリ部５の描画配置テーブル５ｄの内容を、この描画配置テーブル５ｄと同じ領域に設けている保存用描画配置テーブルに保存し、ステップＳＴ２８へ進む。
【００９０】
ステップＳＴ２８では、ＣＰＵ１２は「これ以上分割できません」のテロップを表示するように描画配置テーブルに配置を行い、ステップＳＴ２９へ進む。
【００９１】
ステップＳＴ２９では、ＣＰＵ１２は描画イベントを発生させ、ステップＳＴ３０へ進む。
【００９２】
ステップＳＴ３０では、ＣＰＵ１２は保存用描画配置テーブルの内容を描画配置テーブル５ｄにコピーし、ステップＳＴ３１へ進む。
【００９３】
ステップＳＴ３１では、ＣＰＵ１２は描画イベントを発生させ、処理を終了する。
【００９４】
次に、図１１のフローチャートのステップＳＴ９において表示処理イベントが発生したときの処理について図１６で説明する。
図１６は図１１のステップＳＴ９において表示処理イベントが発生したときの処理を示すフローチャートである。
【００９５】
図１６において、ステップＳＴ３２では、ＣＰＵ１２は表示処理イベントが発生すると、処理回数ｓに初期値１を代入し（ｓ＝１）、ステップＳＴ３３へ進む。
【００９６】
ステップＳＴ３３では、ＣＰＵ１２は処理回数ｓが分割数ｄを超えたかどうか判断し（ｓ＞ｄ）、超えていない場合（ステップＳＴ３３−Ｎｏ）は、ステップＳＴ３４へ進む。
【００９７】
ステップＳＴ３４では、ＣＰＵ１２は表示領域座標テーブルＤＩＳＰ（ｄ，ｓ）にＦＵＮＣ（ｓ）を描画するように描画配置テーブル５ｄに配置を行い、ステップＳＴ３５へ進む。
【００９８】
ステップＳＴ３５では、ＣＰＵ１２は処理回数ｓが選択画面番号ｗと等しいか判断（ｓ＝ｗ）し、等しい場合（ステップＳＴ３５−Ｙｅｓ）は、ステップＳＴ３６へ進み、等しくない場合（ステップＳＴ３５−Ｎｏ）は、ステップＳＴ３７へ進む。
【００９９】
ステップＳＴ３６では、ＣＰＵ１２は描画配置テーブル５ｄに選択画面枠ＷＡＫＵ（ｄ，ｗ）の描画配置を行う。
【０１００】
ステップＳＴ３７では、ＣＰＵ１２は処理回数ｓに１を加算（ｓ＝ｓ＋１）し、再びステップＳＴ３３に戻る。
【０１０１】
上記に対し、ステップＳＴ３３において、処理回数ｓが分割数ｄを超えた判断の場合（ステップＳＴ３３−Ｙｅｓ）、ステップＳＴ３８へ進む。
【０１０２】
ステップＳＴ３８では、ＣＰＵ１２は描画イベントを発生させ、処理を終了する。
【０１０３】
次に、図１１のフローチャートのステップＳＴ５において範囲選択イベントが発生したときの処理について図１７で説明する。
図１７は図１１のステップＳＴ５において範囲選択イベントが発生したときの処理を示すフローチャートである。
【０１０４】
図１７において、ステップＳＴ３９では、ＣＰＵ１２は範囲選択イベントが発生すると、選択範囲の始点と終点の位置情報を始点（ＳＸ，ＳＹ）、終点（ＥＸ，ＥＹ）に保存し、ステップＳＴ４０へ進む。
【０１０５】
ステップＳＴ４０では、ＣＰＵ１２は範囲選択している部分がわかるように色付けするようにＦＵＮＣ（ｗ）の内容を書き換え、処理を終了する。
【０１０６】
次に、図１１のフローチャートのステップＳＴ６においてコピーイベントが発生したときの処理について図１８で説明する。
図１８は図１１のステップＳＴ６においてコピーイベントが発生したときの処理を示すフローチャートである。
【０１０７】
図１８において、ステップＳＴ４１では、ＣＰＵ１２はコピーイベントが発生すると、始点（ＳＸ，ＳＹ）、終点（ＥＸ，ＥＹ）で囲まれた文字列または画像ファイルまたは電子ファイルをメモリ部５のコピー保存領域５ａにファイルとして保存し、処理を終了する。
【０１０８】
次に、図１１のフローチャートのステップＳＴ７において貼り付けイベントが発生したときの処理について図１９で説明する。
図１９は図１１のステップＳＴ７において貼り付けイベントが発生したときの処理を示すフローチャートである。
【０１０９】
図１９において、ステップＳＴ４２では、ＣＰＵ１２は貼り付けイベントが発生すると、指定位置が貼り付け可能な位置かどうか判断し、可能でない場合（ステップＳＴ４２−Ｎｏ）は、なにもせず処理を終了し、可能な場合（ステップＳＴ４２−Ｙｅｓ）は、ステップＳＴ４３へ進む。
【０１１０】
ステップＳＴ４３では、ＣＰＵ１２はコピー保存領域５ａに保存された保存ファイルを指定された位置に貼り付けるようにＦＵＮＣ（ｗ）の内容を書き換え、処理を終了する。
【０１１１】
次に、図１５のフローチャートのステップＳＴ３１において描画イベントが発生したときの処理について図２０で説明する。
図２０は図１５のステップＳＴ３１において描画イベントが発生したときの処理を示すフローチャートである。
【０１１２】
図２０において、ステップＳＴ４４では、ＣＰＵ１２は描画イベントが発生すると、グラフィックスＩＣ７に対し、描画配置テーブルに従ってモニタ８に表示を行うように指令を出し、グラフィックスＩＣ７はモニタ８に表示を行い、処理を終了する。
【０１１３】
以上のように、この実施の形態１によれば、ＣＰＵ１２は、現在位置検出部１および地図情報部２とをもとに現在位置から目的地までの経路を探索し、モニタ８に経路案内を表示する経路案内制御の処理を行うとともに、通信部３により通信する機能または情報を取得する機能、または位置検索機能や地点登録機能等の前記経路案内制御に関連する機能のうちからリモコン１０により指定した一つまたは互いに異なる２以上の名称の機能に基づく映像を一画面または分割多画面でモニタ８に表示する処理をこのＣＰＵ１２一つで行うように構成したので、例えば、従来、一つのプロセッサ上で２以上の異なる機能に基づく映像を分割多画面で表示されていなかったブラウザ機能、検索機能、メール機能、ミュージック情報機能、地点登録機能およびＶＩＣＳ情報機能のうちの異なる２以上の機能に基づく映像を分割多画面でモニタ８に表示することが可能となり、車載用ナビゲーションシステム全体としての信号処理の構成を簡易に同時に複数の機能から情報を確認することができ、ある機能の情報を他の機能の情報に有効活用することができる。
【０１１４】
また、ＣＰＵ１２は分割多画面の少なくとも一つの画面を、地点の位置を表示する映像の画面、インターネット上のオブジェクトを表示する映像の画面またはミュージック情報を表示する映像の画面にする構成にすることにより、使用頻度または必要性の高い機能の映像を常に表示しておくことができる。
【０１１５】
また、ＣＰＵ１２は、分割多画面で表示している一方の画面内に存在する文字列、画像情報または電子ファイルを範囲選択し、これら文字列、画像情報または電子ファイルを一時的にメモリ部５のコピー保存領域５ａに記憶し、このコピー保存領域５ａに記憶されている文字列、画像情報または電子ファイルを他方の画面内の文字列入力位置、画像情報貼り付け位置または電子ファイル貼り付け位置に貼り付けるように構成したので、文字列の入力、画像ファイルの挿入またはの電子ファイの挿入の手間を省くことができるともに、双方の画面を確認しながら範囲選択し貼り付けるので、これら作業のミスを防止することができる。
例えば上記構成は、分割二画面の一方の画面がインターネット通信するブラウザ機能の画面であり、他方の画面が検索画面である場合、一方の画面のブラウザ画面中で住所等の文字列を範囲選択してコピーし、この文字列を他方の画面の検索画面へ貼り付ける場合等に有効である。
【図面の簡単な説明】
【０１１６】
【図１】この発明の実施の形態１による車載用ナビゲーションシステムの構成を示すブロック図である。
【図２】この発明の実施の形態１に関し、二つの機能を２分割画面で表示した場合の説明図である。
【図３】この発明の実施の形態１に関し、三つの機能を３分割画面で表示した場合の説明図である。
【図４】この発明の実施の形態１に関し、四つの機能を４分割画面で表示した場合の説明図である。
【図５】この発明の実施の形態１に関し、画面分割の遷移と選択画面を変更指定した場合の表示領域座標の遷移を表した図であり、（ａ）は一画面の状態図、（ｂ）（ｃ）は二画面の状態図、（ｄ）（ｅ）（ｆ）は三画面の状態図、（ｇ）（ｈ）（ｉ）（ｊ）は四画面の状態図である。
【図６】この発明の実施の形態１に関し、画面分割した場合の表示領域座標テーブルＤＩＳＰ（ａ，ｂ）のテーブル状態を表した図である。
【図７】この発明の実施の形態１に関し、画面分割指定後に機能追加した場合の機能の追加方法について説明した図であり、（ａ）は一画面の状態図、（ｂ）（ｃ）は二画面の状態図、（ｄ）（ｅ）（ｆ）は三画面の状態図、（ｇ）（ｈ）（ｉ）（ｊ）は四画面の状態図である。
【図８】この発明の実施の形態１に関し、機能状態保存テーブルＦＵＮＣ（ｃ）の内容を示した図であり、（ａ）は一画面の場合、（ｂ）は二画面の場合、（ｃ）は三画面の場合、（ｄ）は四画面の場合のそれぞれのテーブル状態図である。
【図９】この発明の実施の形態１に関し、画面選択枠と選択画面枠の位置を表すＷＡＫＵ（ｄ，ｗ）について説明した図であり、（ａ）は一画面の状態図、（ｂ）（ｃ）は二画面の状態図、（ｄ）（ｅ）（ｆ）は三画面の状態図、（ｇ）（ｈ）（ｉ）（ｊ）は四画面の状態図である。
【図１０】この発明の実施の形態１に関し、範囲選択、コピーおよび貼り付けについての説明図であり、（ａ）は文字列の場合、（ｂ）は画像ファイルの場合、（ｃ）は電子ファイルの場合の説明図である。
【図１１】この発明の実施の形態１に関し、リモコンにより画面操作キー入力イベントが発生した時のＣＰＵの処理を示すフローチャートである。
【図１２】図１１のステップＳＴ３においてクリアイベントが発生したときの処理を示すフローチャートである。
【図１３】図１１のステップＳＴ４において画面分割イベントが発生したときの処理を示すフローチャートである。
【図１４】図１３のステップＳＴ２０においてＦＵＮＣ移し変えイベントが発生したときの処理を示すフローチャートである。
【図１５】図１３のステップＳＴ１８において分割不可イベントが発生したときの処理を示すフローチャートである。
【図１６】図１１のステップＳＴ９において表示処理イベントが発生したときの処理を示すフローチャートである。
【図１７】図１１のステップＳＴ５において範囲選択イベントが発生したときの処理を示すフローチャートである。
【図１８】図１１のステップＳＴ６においてコピーイベントが発生したときの処理を示すフローチャートである。
【図１９】図１１のステップＳＴ７において貼り付けイベントが発生したときの処理を示すフローチャートである。
【図２０】図１５のステップＳＴ３１において描画イベントが発生したときの処理を示すフローチャートである。
【符号の説明】
【０１１７】
１  現在位置検出部、１ａ  ＧＰＳ受信機、１ｂ  受信アンテナ、１ｃ  ジャイロ、１ｄ  車速パルス発生器、２  地図情報部、３  通信部、４  通信インタフェース、５  メモリ部、６  ストレージ、７  グラフィックスＩＣ、８  モニタ、９  オーディオ部、１０  リモートコントロールユニット、１１  受光部、１２  ＣＰＵ。
【図１】
2005300419.tif 000003
【図２】
2005300419.tif 000004
【図３】
2005300419.tif 000005
【図４】
2005300419.tif 000006
【図５】
2005300419.tif 000007
【図６】
2005300419.tif 000008
【図７】
2005300419.tif 000009
【図８】
2005300419.tif 000010
【図９】
2005300419.tif 000011
【図１０】
2005300419.tif 000012
【図１１】
2005300419.tif 000013
【図１２】
2005300419.tif 000014
【図１３】
2005300419.tif 000015
【図１４】
2005300419.tif 000016
【図１５】
2005300419.tif 000017
【図１６】
2005300419.tif 000018
【図１７】
2005300419.tif 000019
【図１８】
2005300419.tif 000020
【図１９】
2005300419.tif 000021
【図２０】
2005300419.tif 000022